Podtech/llm-jp-corpus-v4-ja_patent huggingface dataset:
(57)【要約】【課題】  矯正分野における模型分析の各部の計測をパソコン入力用インターフェースを有するデジタルノギスを用いて測定し、測定データをパソコンへ直接送ることにより測定値入力の時間を大幅に短縮することができる。また、ヒューマンエラーにより誤った測定値を入力する測定値の入力ミスがなくなる。このようなことを特徴とするデータ自動入力装置を提供する。【解決手段】  矯正分野における模型分析における各部の計測をパソコン入力用インターフェースを有するデジタルノギスを用いて測定し、測定データを直接パソコンへ送りパソコンにある模型分析用ソフトへ直接入力する。【選択図】  図１
2006038671.tif 000002
【特許請求の範囲】
【請求項１】
矯正分野における模型分析の測定において、各部を測定する測定手段と、測定したデータをパーソナルコンピュータ(以下パソコンという)に転送可能な通信手段と、を設けたことを特徴とするデータ自動入力装置。
【請求項２】
前記測定手段にパソコンとの通信手段を有しデータ転送できるデジタルノギスを用いたことを特徴とする請求項１に記載のデータ自動入力装置。
【請求項３】
前記通信手段にＲＳ２３２Ｃ、ＵＳＢ、イーサネットを用いたことを特徴とする請求項１及び請求項２に記載のデータ自動入力装置。
【発明の詳細な説明】
【技術分野】
【０００１】
本発明は、矯正分野における模型分析の測定に関する。
【０００２】
さらに詳しくは、矯正分野における模型分析の各部を計測する測定手段として、デジタルノギスを用いて測定して、測定データを直接パソコンに転送し、そのデータを表示するためのデータ自動入力装置に関する。
【背景技術】
【０００３】
従来、矯正分野における模型分析では、各部の値をノギスで計測し、その測定値を用紙にメモする、あるいは、パソコンに手動で測定値を入力している。これらは、測定値を入力するまでの操作が煩雑で、ノギスの目盛りを読む、その測定値をメモする、あるいは、パソコンにキーボードから測定値を入力する等、このような操作は、ヒューマンエラーにより誤った測定値を入力する可能性が非常に高い。また測定値入力に時間がかかることになる。
【発明の開示】
【発明が解決しようとする課題】
【０００４】
本発明は、以上の状況を鑑みなされたもので、その解決しようとする課題は、以下の通りである。矯正分野における模型分析の各部の計測は、ノギスを用いて測定する時、ノギスの目盛りを読む、その測定値をメモする、あるいは、キーボードから測定値を入力する等、測定値を入力するまでの操作が煩雑である。これは、測定値入力に時間がかかり、かつヒューマンエラーによる入力ミスが多くなる。
【課題を解決するための手段】
【０００５】
矯正分野における模型分析での各部の計測をパソコン入力用インターフェース及び通信手段を有しデータ転送できるデジタルノギスを用いて測定し、測定データをパソコンへ転送してパソコンにある模型分析ソフトへ直接入力する。
【発明の効果】
【０００６】
矯正分野における模型分析での各部の計測を、通常のノギスで測定する場合、ノギスの目盛りを読む、測定値をメモする、あるいは、キーボードから測定値を入力する等、測定値を入力するまでの操作が煩雑になる。これをパソコンとの通信手段を有しデータ転送できるデジタルノギスを用いて測定して、パソコンへ測定値を直接入力することにより、測定値入力の時間を大幅に短縮することができる。また、ヒューマンエラーによる測定値の入力ミスがなくなる。
【発明を実施するための最良の形態】
【０００７】
矯正分野における模型分析での各部の計測を、パソコンとの通信手段を有するデジタルノギスを用いて測定することにより、測定値入力の時間を大幅に短縮でき、またヒューマンエラーによる測定値の入力ミスもなくなる。
【実施例】
【０００８】
以下実施例に基づいて説明する。図１は、本発明に係るデータ自動入力装置の一例であり、図２は、データ自動入力装置におけるデータ自動入力処理の手順を説明するのためのフローチャートの一例である。また図３は、本発明に係るデータ自動入力装置のブロック図である。図１において、データ自動入力装置は、デジタルノギス本体１と、パソコン入力用インターフェース２と、通信用ケーブル３と、パソコン４とから構成され、通信用ケーブル３はパソコン４に接続されている。模型分析のためにデジタルノギス本体１により計測された各部（ステップＳ１）の測定データはパソコン入力用インターフェース２を介して通信用ケーブル３によりパソコン４に直接入力される。（ステップＳ２）パソコン４では、測定データが模型分析用ソフトに直接入力され即座に表示することができる。（ステップＳ３）これにより測定値入力の時間を大幅に短縮でき、またヒューマンエラーにより誤った測定値を入力するミスもなくなる。尚パソコン４へは、ＲＳ２３２Ｃ、ＵＳＢ、イーサネット等の通信手段により接続される。
【図面の簡単な説明】
【０００９】
【図１】本発明に係るデータ自動入力装置の一例を示す。
【図２】本発明に係るデータ自動入力装置におけるデータ自動入力処理の手順を説明するためのフローチャートの一例を示す。
【図３】本発明に係るデータ自動入力装置のブロック図を示す。
【符号の説明】
【００１０】
１  デジタルノギス本体
２  パソコン入力用インターフェース
３  通信用ケーブル
４  パソコン
【図１】
2006038671.tif 000003
【図２】
2006038671.tif 000004
【図３】
2006038671.tif 000005
(57)【要約】      （修正有）【課題】使用時の携行の悪さ、装着位置の自由度の無さを改善したスケールとスケール台を提供する。【解決手段】台板１に腰ベルトに装着する時のためのベルトクリップ２と作業着に装着する時のための安全ピン３を設け、台板１の片面にベルクロテープ４雌を、スケール本体片面にベルクロテープ雄５を取り付ける。【選択図】図１
2006038606.tif 000002
【特許請求の範囲】
【請求項１】
スケールの携行時に、スケール本体の取り付け位置を取り付け台座の範疇で上下左右に任意の場所に出来、携行のし易さと作業性アップを考慮した取り付け台付きスケール。
【発明の詳細な説明】
【技術分野】
【０００１】
この発明は建設現場、製造工場等でスケール使用時、効率よく作業し作業性を上げる為。
【背景技術】
【０００２】
従来のスケールは取り付け方法が限られている。
【特許文献１】なし
【非特許文献１】なし
【発明の開示】
【発明が解決しようとする課題】
【０００３】
しかしながら、以上の技術によればスケール本体を作業中に持ち運ぶ際、腰のベルト、ズボンの腰部にスケール本体に取り付けられているクリップを使用して携行して行動することに絞られていた。この方法だと一作業ごとにベルト、ズボンの腰部にしまう際に、引っかかりを探さなければならず、しゃがんだ姿勢では引っ掛け難いという様に作業効率が悪かった。そして腰まで手を回す為に歩留まりの悪化もあった。特に厚着を必要とする作業場所、季節ではベルトが上着の中に入ってしまい、スケールをしまう為に上着を捲る必要があり、しまう時間が長く掛かってしまう。また手、作業手袋が油等で汚れている場合、上着をめくる際に上着を汚してしまうことがあった。
【課題を解決するための手段】
【０００４】
以上の課題を解決するために、第一発明はスケール携行方法をスケール改良及びスケール取り付け台を新たに設ける事にした。
【発明の効果】
【０００５】
第一発明によれば、新たに設けた取り付け台により取り付け時間の短縮、取り付け場所の自由度が広がった。
【発明を実施するための最良の形態】
【０００６】
この発明の一実施形態を、図１に示す。
この取り付け台は、台板１にベルトクリップ２を付けクリップ２の上に安全ピン３を設け、台板１の片面にベルクロテープ４雌を設けてあり、スケール本体片面にベルクロテープ雄５を取り付けてある。
【０００７】
「実施形態の効果」
この実施形態によれば、台板１はクリップ２の働きにより腰のベルト、ズボンの腰部に装着する。この台座に片面にベルクロテープ５を設けてある本体１を使用する事でスケールの取り付け、取り外しも簡単になり、また携行がし易くなる。したがって作業時間短縮、作業性アップになる。
【０００８】
「他の実施形態」
図１の実施形態では、台板１に安全ピン３が取り付けてあり、スケール本体をツナギ着用者や作業服上に直接取り付ける方法も可能になり作業効率を上げる事が出来る。
【図面の簡単な説明】
【０００９】
【図１】この発明の一実施形態を示す平面図である。
【符号の説明】
【００１０】
１  台板            ２  クリップ
３  安全ピン        ４  ベルクロテープ雌
５  ベルクロテープ雄                
【図１】
2006038606.tif 000003
(57)【要約】      （修正有）【課題】従来、球技用ラケットのフレーム、ガット、シャフト、グリップは各々別の素材を使用し組み立てられ、生産するのに多くの工程と労力が必要であったものを、ラケットとしての機能を維持しながら生産に要する工程を大幅に削減し、従来の球技用ラケットのようにガットを取り替える必要をなくす。【解決手段】フレーム、ガット、シャフト、グリップからなる球技用ラケットを弾力性のある軟質ゴム、弾力性のある軟質樹脂で一体成型する事により作成する。【選択図】図１
2006326263.tif 000002
【特許請求の範囲】
【請求項１】
フレーム、ガット、シャフト、グリップからなる球技用ラケットの素材は、弾力性のある軟質ゴム系、弾力性のある軟質樹脂系で一体成形された球技用ラケット。
【請求項２】
フレーム、ガット、シャフト、グリップからなる球技用ラケットの素材は、芯に鉄線、鉄筋等を入れて、弾力性のある軟質ゴム系、弾力性のある軟質樹脂系等で一体成形された球技用ラケット。
【発明の詳細な説明】
【発明の詳細な説明】
【産業上の利用分野】
【０００１】本発明は芯に鉄線、鉄筋が入っている、軟質の弾力性のあるゴム系を使用し、又弾力性のある軟質の樹脂系を使用して出来上がる球技用ラケットに関するものである。
【背景技術】
【０００２】従来、球技用ラケットのフレーム、ガット、シャフト、グリップは各々別々の素材にて組み立てられる場合が多く、生産するのに多くの行程と労力が必要である。
【発明が解決しようとする課題】
【０００３】本発明が解決しようとする課題は、球技用ラケットの機能を保持しながら、ラケットとして使用出来るように考えられる材料を利用することを目的とするものである。
【課題を解決するための手段】
【０００４】本発明は、芯に鉄線、鉄筋等を入れて、フレーム、ガット、シャフト、グリップを弾力性のある、軟質ゴム系、軟質樹脂系素材を使用して、一度にラケットを作ることに、一体成形という手段を講じたものである。
【作用】
【０００５】本発明は上記の手段を講じたので球技用ラケットとして、弾力性を保ちながら、一度の成形作業によって、一個のラケットが出来るということになる。
【実施例】
【０００６】この発明を実施例に基づき説明する。図１は本発明の球技用ラケットの正面図、図２は本発明球技用ラケットの背面図、図３は本発明の球技用ラケットの平面図、図４は本発明球技用ラケットの底面図、図５は本発明の球技用ラケットの側面図である。図１から図５に示すラケットは一体成形で出来ているので、例えば弾力性のある軟質ゴム系で仕上がりの物品、例えば、弾力性のある軟質樹脂系仕上がりの物品等が出来る。
【発明の効果】
【０００７】本発明は、従来の球技用ラケットのようにガットを取り替えることは必要なく、水等にも大変強い球技用ラケットである。
【図面の簡単な説明】
【図１】本発明の球技用ラケットの正面図
【図２】本発明の球技用ラケットの背面図
【図３】本発明の球技用ラケットの平面図
【図４】本発明の球技用ラケットの底面図
【図５】本発明の球技用ラケットの側面図
【符号の説明】
（１）球技用ラケットのフレーム部（２）球技用ラケットのガット部（３）球技用ラケットのシャフト部（４）球技用ラケットのグリップ部
【図１】
2006326263.tif 000003
【図２】
2006326263.tif 000004
【図３】
2006326263.tif 000005
【図４】
2006326263.tif 000006
【図５】
2006326263.tif 000007
(57)【要約】【課題】箸に間隙形成体を取り付けることにより、箸の持ち方の矯正を目的とした器具を提供する。【解決手段】箸の上端部周囲に箸どうしが密着しないよう間隙形成体を取り付けることにより、箸どうしを揃えて使用したり、交差させて食物を挟む事を防ぐ。以上を特徴とする箸の持ち方を矯正具。【選択図】図１
2006326261.tif 000002
【特許請求の範囲】
【請求項１】
箸の上端部周囲に、箸どうしが密着しないよう間隙形成体を取り付けることにより、箸どうしを揃えて使用したり、交差させて食物を挟むことを防ぐ。以上を特徴とする、箸の持ち方矯正具。
【発明の詳細な説明】
【技術分野】
【０００１】  本発明は、箸の上端部に間隙形成体を取り付ける箸の持ち方矯正具に関するものである。
【技術背景】
【０００２】  従来、箸どうしを揃えて使用したり交差させて物を挟むなど、箸の持ち方が不具合な人が多かった。
【発明の開示】
【発明が解決しようとする課題】
【０００３】  そのために、次のような問題点があった。
（イ）物をつかんで、口に運ぶ途中に落として、食卓を汚す人がいた。
（ロ）あずきなど、小物をつかめない人が多くいた。
本発明は、これらの問題点を解決するためになされたものである。
【課題を解決するための手段】
【０００４】  箸の上端部周囲に、箸どうしが密着しないよう間隙形成体を取り付けることにより、箸どうしを揃えて使用したり、交差させて食物を挟むことを防ぐ。以上を特徴とする箸の持ち方矯正具である。
【発明の効果】
【０００５】  間隙形成体を取り付けることにより、重量バランスが改善され、箸どうしの間隔が密閉されず、使用時の状態が理想的なものとなる。又、交差させ物を挟むことが困難になることなど各効果により食べ物を途中で落とす事もなく、あずきなど小物もしっかりつかむことができる。
【発明を実施するための最良の形状】
【０００６】  以下、本発明の実施の形状について説明する。
（イ）箸（１）の持つ部分上端に、箸の長さの１〜２割の長さの箸と箸が密着しないように間隙形成体（２）形成する。さらに図３に示すように着脱自在にすることも可能であり、図４に示すようデザイン化することにより幼児などが興味を持つ矯正具が提供できるので箸の持ち方が短期でうまくなるであろう。
（ロ）なお、本発明は箸の持ち方矯正具として述べてきたが、矯正具がそのまま通常の矯正箸として使用できることは当然である。
【図面の簡単な説明】
【０００７】
【図１】本発明の斜視図
【図２】本発明の一部を切り欠いた側面図
【図３】本発明の他の実施例を示す図
【図４】本発明の他の実施例を示す図
【符号の説明】
【０００８】１  箸
２  間隙形成体
【図１】
2006326261.tif 000003
【図２】
2006326261.tif 000004
【図３】
2006326261.tif 000005
【図４】
2006326261.tif 000006
(57)【要約】      （修正有）【課題】  従来の蒸れ防止靴は靴の側部と上部に穴を開けたもので、長時間履いた場合に蒸れてしまうものであった。長時間履いた場合でも蒸れないようにすることができる靴を提供する。【解決手段】  靴底に開口部を設けることにより、靴を長時間履いた場合でも蒸れないようにすることができた。【選択図】図１
2006326258.tif 000002
【特許請求の範囲】
【請求項１】
靴底に開口部を設けて靴の中が蒸れるのを防止した靴
【発明の詳細な説明】
【技術分野】
【０００１】  本発明は、靴の中の蒸れ防止を図った靴
【背景技術】
【０００２】  従来の蒸れ防止の靴には、靴の側部と上部に穴を開けたものがある。
【発明の開示】
【発明が解決しようとする課題】
【０００３】  従来の蒸れ防止靴は、靴を長時間履いた場合に蒸れてしまうものであった。
【課題を解決するための手段】
【０００４】  本発明は、靴底に開口部を設けたものである。
【発明の効果】
【０００５】  これにより、靴を長時間履いた場合でも蒸れないようにすることができる。
【発明を実施するための最良の形態】
【０００６】  以下、本発明の実施の形態を図１に基づいて説明する。【０００７】  図においては、１は開口部を設けた靴底、２は靴底の外枠である。外枠２の下面は床と接し、上面に靴底１及び靴の側部３が接続されている。【０００８】  靴底１は、板状の物に穴を開けても良いし、網状の物を使用しても良い。
【産業上の利用可能性】
【０００９】  この靴は、床面が汚れていない事務室等で快適に利用できる。
【図面の簡単な説明】
【００１０】
【図１】  本発明の実施形態を示す靴の断面図
【符号の説明】
【００１１】  １：靴底
２；靴底の外枠
３；靴の側部と上部
【図１】
2006326258.tif 000003
(57)【要約】      （修正有）【課題】通常屋内で使用されるスリッパの、足を乗せる表面部分に、大きさの異なる木製の半球体を装着し、足裏全体を指圧マッサージする履物を提供する。【解決手段】薄底の平らなスリッパの、足裏が接する部分に、３種類の大きさの異なる、軽い材質の木製の半球体（ａ），（ｂ），（ｃ）を強力接着剤で接着して、足裏全体に指圧効果を得られるようにし、足の甲を覆う部分（ｄ）は、左右に開きマジックテープ（ｅ）で好みの位置で止められるようにした。【選択図】図１
2006326257.tif 000002
【特許請求の範囲】
【請求項１】
薄底の平らなスリッパの、足裏が接する部分に、指先部分と踵部分は小さめの、中央土踏まず部分には、２種類の大きさの異なるものと、計３種類の軽い材質からなる木製の半球体を強力接着剤で接着して、足裏全体に指圧効果を得られるようにした、また足の甲を覆う部分は、左右に開き、マジックテープで好みの位置で止められるようにしたことを特徴とする健康指圧スリッパ。
【発明の詳細な説明】
【技術分野】
【０００１】  本発明は、通常屋内で使用されるスリッパの、足を乗せる表面部分に、大きさの異なる木製の半球体を装着し、足裏全体を指圧マッサージすることを目的とするものである。
【技術背景】
【０００２】  従来、健康スリッパと言うと、足を乗せる部分に、細かな突起を付けたものや、磁気などを埋め込んで血行を促進させると言われる物であった。
【発明の開示】
【発明が解決しようとする課題】
【０００３】  それらには、次のような問題点があった。
（イ）小突起物では、足の裏面に細かな刺激は得られても、指や指圧用の器具で、ゆっくりとおされているような感覚は得られなかった。
（ロ）磁気などが埋め込んである物では、なかなかその効果が実感できず、小突起物では、時として足裏表面に、痛み・痒みなどを感じたりすることがあった。
（ハ）スリッパの足を入れる部分の大きさが決められているので、きつめで履いたり緩めで履いたりと、自分の好きな位置での選択ができなかった。
（ニ）足裏に接する部分が、ゴム製やプラスチック製のものが多いので、素足で使用すると蒸れたり汗をかいたりで不快に感じたり、また、細かな凹凸が多い為、隙間に埃やゴミがたまりやすく、一度たまると、非常に取り難かった。
本発明は、これらの問題点を解決するためになされたものである。
【課題を解決するための手段】
【０００４】  上記の課題を解決するために、本発明は、薄底の平らなスリッパの、足裏が接する部分に、軽い材質の木製の半球体を、指先部分は、５本指すべてに当たるように小さい半球体を５列に配し、土踏まずの足裏の凹んだ部分には大きめの２種類の半球体を配し、また踵部分は小さい半球体と、計３種類の半球体を用いて足裏全体に指圧効果が受けられるようにした。また、足の甲を覆う部分は、左右に開くように分かれていて、マジックテープで好きな位置でとめられるようにした。
【発明の効果】
【０００５】３種類の大きさの違う半球体を使用することで、それぞれの足裏のつぼにあった刺激が得られる。足の甲の止める位置を自在に決められるため、その時点での状況・状態・体調などで使用しやすい位置に変えることが容易である。
【発明を実施するための最良の形態】
【０００６】  以下、本発明の実施の形態について説明する。なお以下は、足のサイズ２３センチ程度の大きさの人に適したものとする。
（イ）直径２３センチ厚さ５ミリ程度の厚紙を図１の形に裁断し、図３（ｇ）の底面とし、合皮で覆い強力接着剤で接着する。同型に裁断した５ミリ程度のウレタン図３（ｆ）を合皮で覆い同じく接着し、２つの底板を作成する。
（ロ）足裏を乗せる面に、直径１センチ程度の軽い木製の半球体図１（ａ）を、指先側に５個並べ６列配し、強力接着剤で接着する。
（ハ）同様に踵側に同等の半球体を、４個並べ５列配し接着する。
（ニ）中央部分いわゆる土踏まずに於いては、内側に直径３センチの半球体図１（ｂ）を縦列に２個、中央にひと回り小さい直径２．５センチの図１（ｃ）を、同じく縦列に２個、外側には直径１センチの図１（ａ）を縦列に４個配し、それぞれ接着する。
（ホ）足の甲を覆う部分図１（ｄ）を左右にそれぞれ図３（ｆ）と図３（ｇ）の２つの底板間に挟み強力接着剤でしっかりと接着し、好きな位置で止められるよう内側図２（ｅ）にマジックテープを取り付けた。
本発明は、以上の構成からなり、これを使用すると、３種類の大きさの違う半球体がそれぞれのつぼを圧するので、細かな突起とは全く違い、指や指圧用の器具でゆっくりと押されているような刺激が得られ、木製の半球体を使用しているので、長時間使用してもムレもせず、埃やゴミも溜まりにくく、また溜まった場合でも容易に取れた。
なお、ゴム・プラスチック等の材料を用いて、底面の下に、同型の新たな底面を装着することにより、外履きとしても利用できる。
【図面の簡単な説明】
【０００７】
【図１】本発明の正面図
【図２】足の甲を覆う部分をはずした正面図
【図３】本発明の側面図
【符号の説明】
【０００８】    （ａ）直径１センチの木製の半球体
（ｂ）直径３センチの木製の半球体
（ｃ）直径２．５センチの木製の半球体
（ｄ）足の甲を覆う部分
（ｅ）足の甲を覆う部分に取り付けられたマジックテープ
（ｆ）厚さ５ミリのウレタンを合皮で覆ったもの
（ｇ）厚さ５ミリの厚紙を合皮で覆ったもの
【図１】
2006326257.tif 000003
【図２】
2006326257.tif 000004
【図３】
2006326257.tif 000005
(57)【要約】【課題】    歯間部等の食物の残滓などを十分に取り除くことができ、従来のつまようじの１本分の部材から２本以上得られ、且つ、特別な容器を必要としないつまようじを提供する。【解決手段】    中心軸線方向に対して鋭角をなす切れ込みをいれ、前記切れ込みと中心軸線方向の外郭線とがつくる鋭角の２つの錯角部分を掃除部とし、且つ、両端を柄部とすることを特徴とするつまようじ。【選択図】    図１
2006326252.tif 000002
【特許請求の範囲】
【請求項１】
中心軸線方向に対して鋭角をなす切れ込みをいれ、前記切れ込みと中心軸線方向の外郭線とがつくる、鋭角の２つの錯角部分を掃除部とし、且つ、両端を柄部とすることを特徴とするつまようじ。
【発明の詳細な説明】
【技術分野】
【０００１】  本発明は、歯間部等の食物の残滓などを、手軽に、確実に取り除くことができ、従来のつまようじ一本分の部材から２本以上得られ、且つ、特別な容器を必要としないつまようじに関するものである。
【背景技術】
【０００２】  従来のつまようじは、細長い円柱状の柄部と、突端に向かってテーパー状に細径にされた掃除部とを備えた木製のものが一般的である。また、平板上のものや、三角錐状のものもある。
【発明の開示】
【発明が解決しようとする課題】
【０００３】  従来のつまようじは、掃除部が突端に向かってテーパー状に細径になっているが、歯間部には太すぎて入らなかった。また、歯間部に入りやすいように、薄く形成されたものや三角錐状のものもあるが、これらは掃除部先端部分の強度が従来のものに比べて弱く、特別な容器を必要としている。また、１つの部材から１つのつまようじしか得られないため、経済性に欠ける。
本発明は、これらの問題点を解決するためになされたものである。
【課題を解決するための手段】
【０００４】  つまようじの中心軸線方向に対して鋭角をなす切れ込みをいれ、この切れ込みと、つまようじの中心軸線方向の外郭線とがつくる鋭角の２つの錯角部分を、このつまようじの掃除部とし、且つ、両端を、このつまようじの柄部とする。使用時はこのつまようじを切れ込み部分で分断し、先端が薄く平たい複数本のつまようじとして使用する。
【発明の効果】
【０００５】  本発明に係るつまようじは、歯間部等の食物の残滓などを十分に取り除くことができ、従来のつまようじの１本分の部材で、２本以上のつまようじが得られるので経済的である。
また、従来のつまようじに使われていた容器をそのまま流用できる。
【発明を実施するための最良の形態】
【０００６】  以下、本発明の実施の形態について説明する。
図１から図６は、本発明の実施形態を示したものである。図において符号１はつまようじを示している。【０００７】  上記つまようじ１は、図１に示したように、小棒状の部材に切れ込み４を入れることで、柄部２と２’、掃除部３と３’を生み出す。結果、従来のつまようじ１本分の部材で２本のつまようじを得ることができる。また、掃除部３と３’は、図５及び図６が示すように、細く平たく、歯間部等の食物の残滓を十分に取り除くことができる。また、図１、図２が示すように、つまようじ１の両端を柄部２，２’とすることで、掃除部３，３’の先端を保護する形となり、同先端を保護するための特別な容器を必要としない。【０００８】  図１の示す、つまようじ１の中心軸線方向の外郭線と、切れ込み４とが生み出す錯角ａとａ’の角度は、３度から７度の範囲内が好ましい。また、つまようじ１の、使用前の全長であるＬ１は、従来のつまようじの全長と等しく６５ｍｍ程度とするのが好ましい。また、柄部の長さであるＬ２とＬ３は等しいのが好ましい。【０００９】  図４に示したように、つまようじ１の中心軸線方向の投影図における切れ込み４の断面積は、同投影図における全断面積の８割以上を占めることが好ましい。【００１０】  本発明は以上のような構造で、これを使用するときは、図５に示したように柄部２、２’を両手でつかみ、切れ込み４の部分で開く。次に、図６に示したように、そのまま柄部２、２’をそれぞれ反対方向に引っ張り、つまようじ１を切れ込み４の部分で２つに分断し、それぞれを掃除部３、３’を備えたつまようじとして使用する。【００１１】  本発明の原理を応用すれば、従来のつまようじ１本分の部材から３本以上のつまようじを得ることも可能であるが、現実的な選択として、２本が好ましい。
【図面の簡単な説明】
【００１２】
【図１】本発明の平面図
【図２】本発明の背面図
【図３】本発明の一部を透視した斜視図
【図４】図３の中心軸線方向における投影図
【図５】本発明の使用直前の斜視図
【図６】本発明の使用状態を示す斜視図
【符号の説明】
【００１３】      １          つまようじ
２、２’    柄部
３，３’    掃除部
４          切れ込み
５          指先
【図１】
2006326252.tif 000003
【図２】
2006326252.tif 000004
【図３】
2006326252.tif 000005
【図４】
2006326252.tif 000006
【図５】
2006326252.tif 000007
【図６】
2006326252.tif 000008
(57)【要約】【目的】電子レンジで食品の焼ものができる、マイクロ波加熱調理用発熱陶器釜及びその製造方法を提供する。【構成】陶土に導電性の籾殻炭、木炭及び活性炭から選ばれるの粉体、若しくは鉄粉を混ぜ練り込んで焼いたマイクロ波加熱調理用発熱陶器釜、及びその製造方法。【特許請求の範囲】
【請求項１】
陶土に導電性の籾殻炭、木炭及び活性炭から選ばれる粉体、若しくは鉄粉を混ぜ練り込んであることを特徴とするマイクロ波加熱調理用発熱陶器釜。
【請求項２】
請求項１の導電性粉体を混ぜた陶土を窯焼き成形する、マイクロ波加熱調理用発熱陶器釜の製造方法。
【請求項３】
請求項１の導電性の木炭、活性炭及び鉄粉は、マイクロ波照射により発熱することが最も知られ各種考案の発熱素材として使用されいる。本考案では、請求項１の籾殻炭を導電性粉体とすることを最大の特徴とする。
【発明の詳細な説明】
【技術分野】
【０００１】本発明は、電子レンジにより食品を加熱調理する際に、食品を焼きもの調理するために使用するマイクロ波加熱調理用発熱陶器釜、及びその製造方法に関するものである。
【背景技術】
【０００２】電子レンジによる食品の加熱原理は、マイクロ波による誘電加熱であって、食品中に含まれる水の分子をマイクロ波の照射により激しく振動させ、そのとき発生する摩擦熱を利用して食品を内部から加熱するものである。このため調理時間が短く、エネルギー効率が良く、栄養素の損失が少ない等のメリットがある。【０００３】しかし電子レンジによる加熱調理は、煮る、蒸すの調理だけしかできず、加熱調理には食品を焼くという方法もあるが、この食品を焼くことは、電子レンジではできない。これが電子レンジの欠点でもある。【０００４】この様な欠点を解決するため、マイクロ波を吸収して発熱する発熱シートが各種考案されているが、食品の外側に焦げ目を付ける程度のため、食品を内部から焼き調理するという点からはほど遠いものである。
【発明が解決しようとする課題】
【０００５】本発明の課題は、食品が水分蒸散を起こさず最良な形で焼きものができる、優れたマイクロ波加熱調理用発熱陶器釜及びその製造方法を提供することにある。
【課題を解決するための手段】
【０００６】本発明は、上記目的を達成するために、検討を重ねた結果、マイクロ波照射により発熱する導電性粉体を陶土に混ぜ練り込んで焼き陶器釜を成形し、このことにより上記目的を達成することができることを見い出し、この知見に基づき本発明を完成するに至った。
【０００７】すなわち、本発明は、陶土に導電性の籾殻炭、木炭及び活性炭から選ばれる粉体、若しくは鉄粉を混ぜ練り込んで焼いてあることを特徴とするマイクロ波加熱調理用発熱陶器釜を提供するものである。
【発明の効果】
【０００８】以上のように本発明の手段によれば、本発明のマイクロ波加熱調理用発熱陶器釜は、マイクロ波照射により陶土に混ぜられた発熱する導電性粉体の効果により温度が昇温し、陶器釜内部温度が高温となり、その温度により陶器釜内部に入れられた食品を最良の形で焼くことが可能となる。
【０００９】本発明のマイクロ波加熱調理用陶器釜は、従来電子レンジでなし得なかった効果が生まれ、本発明の目的を達成することができた。
【発明を実施するための最良の形態】
【００１０】以下マイクロ波加熱調理用発熱陶器釜及びその製造方法の実施形態を説明する。【００１１】実施形態１、マイクロ波の照射により発熱する導電性の籾殻炭、木炭及び活性炭から選ばれる粉体、若しくは鉄粉を陶土に混ぜ練り込む。【００１２】実施形態２、実施形態１の導電性粉体を混ぜ練り込んだ陶土を角形や丸形等の蓋付き器に成形する。器の形は、実施例に限定されるものではない。【００１３】実施形態３、実施形態２で成形された蓋付き器を窯に入れ焼き、本発明のマイクロ波加熱調理用発熱陶器釜を実施形態１、２、３において製造した。【００１４】以上のように、本実施形態により製造したマイクロ波加熱調理用発熱陶器釜は、電子レンジ内でマイクロ波照射により陶土中の導電性粉体が発熱し、陶器釜内部を高温状態とし陶器釜に入れられた食品を焼くことができる。本発明のマイクロ波加熱調理用発熱陶器釜は、従来電子レンジでなし得なかった調理効果が得られるものである。
(57)【要約】      （修正有）【課題】携帯に便利で、自己または他の人に使用する際、使用者の負担をできる限り軽減し、弱力者でも一定の指圧・揉むといったマッサージ効果を、一度に数箇所可能にする健康手袋を提供すること。【解決手段】５本指の薄手手袋の手のひら及び各指の手のひら側部分に、直径２センチ程度の軽い材質からなる木製の半球体を、平面部分を接着面として、強力接着剤で多数装着することを特徴とする健康手袋。【選択図】図１
2006326256.tif 000002
【特許請求の範囲】
【請求項１】
５本指の手袋の手のひら及び、各指の手のひら側に、直径２センチ程度の軽い材質からなる木製の半球体を、平面部分を接着面として、多数装着したことを特徴とする指圧・マッサージ用健康手袋。
【発明の詳細な説明】
【技術分野】
【０００１】  本発明は５本指の手袋の手のひら及び各指の手のひら側部分に、指圧・マッサージを目的とした木製の半球体を、多数装着した健康手袋に関するものである。
【技術背景】
【０００２】  従来、指圧・マッサージ効果を得られる道具・器具は数多く存在したが、５本指の手袋型と言うと、使用者本人の手及び指を刺激するものや、多数の小突起物により、細かな刺激が得られるものあった。
【発明の開示】
【発明が解決しようとする課題】
【０００３】  それらには、次のような問題点があった。
（イ）道具・器具の場合、大きいものや重量のあるものは、女性や年配の方の使用には不向きで、携帯するにも不便であり、小さなものや軽量なものでは、わずかな部分での使用に限られ、効果も限定されていた。
（ロ）手袋型のものでは、使用者本人の手自体を刺激するものは数多く存在するが、手の力を利用して、本人又他人に使用して、何らかの刺激を得られるものと言えば、手のひら部分にある小突起物で、細かな刺激が得られるものでしかなかった。
（ハ）小突起物により細かな刺激を得るものでは、着衣の有無、厚薄などにより一定の刺激を実感することが困難であった。また、肌に直接使用すると、皮膚に多数の細かい痕が付いてしまうことがあった。
本発明は、以上の問題点を解決するためのものである。
【課題を解決するための手段】
【０００４】  上記目的を解決するために、本発明は、５本指の薄手手袋の手のひら及び各指の手のひら側部分に、直径２センチ程度の軽い材質からなる木製の半球体の平面部分を接着面として、多数装着することを特徴とする指圧・マッサージ用健康手袋である。
【発明の効果】
【０００５】  軽く携帯するにも便利で、使用時の着衣の有無や厚薄にかかわらず、女性や年配の方のような弱力者でも、一定の指圧・マッサージ効果が得られる。また、直接肌に使用した場合でも、細かな痕が残ることなく、ある程度長時間の使用でも、本人への負担が軽減され継続的な使用を可能とした。
【発明を実施するための最良の形態】
【０００６】  （イ）直径２センチ程度の軽い材質からなる木製の半球体（ａ）を作成する。
（ロ）薄手の綿地手袋の、各指の手のひら側の面の、親指を除く各指には、指先から第一関節の間部分、第一関節から第二関節の間部分、第二関節から指のつけねの間部分の三箇所に、親指には、指先から第一関節の間部分、第一関節から第二関節の間部分の二箇所に、それぞれ（ａ）の半球体の平面部分を、強力接着剤で取り付ける。
（ハ）（ロ）の手袋の手の平部分には、親指を除く各指の延長線上に、三箇所ずつ（ａ）の半球体の平面部分を、強力接着剤で取り付けると図１の手袋が出来上がる。
本発明は、以上の構成で、これを使用するときは、手のひら側全体を使って圧しつけるように使用したり、ゆっくりと軽く揉むよう使用にしたりと身体のさまざまな部分に使用可能で、両手で使用すれば、その効果は倍増される。また、本人はもちろん他の人に使用した場合でも、大きな力を必要とせず、ある程度長時間の使用画可能である。
本発明は、半球体を軽い材質の木製としているが、プラスチックや弾体性などのものでも、作成できる。
【図面の簡単な説明】
【０００７】
【図１】本発明の手のひら側の正面図
【図２】手のひら側を上部にした側面図
【符号の説明】
【０００８】（ａ）木製の半球体
【図１】
2006326256.tif 000003
【図２】
2006326256.tif 000004
(57)【要約】【課題】  従来の糸ようじや歯間ブラシ等は、歯間が狭い場合にはとても使いづらく、無理して使うと歯ぐきを傷つけたり、歯間を広げてかえって食物のかす等をためやすくしてしまうものである。【解決手段】  ポリ袋等に使われている薄い高密度ポリエチレン製のフィルムはある方向に引っ張るとさらに薄く引き伸ばすことができる。このフィルムで伸ばすことができる方向を長軸とした短冊をつくり、両端を左右の指でつまんで引つ張り中央部分を伸ばして更に薄くし、この薄い中央部分を狭い歯間にすべり込ませ、前後に動かしながら歯の根元まで擦り込ませる。そして、この短冊の一端を引いて歯間からゆっくりと引き抜くと、もう一端が歯間を抜けるときにしわになり、このしわに歯間や歯肉ポケットにたまっていた食物のかす等が巻き込まれてきれいに取り除かれるのである。【選択図】  図１
2006326251.tif 000002
【特許請求の範囲】
【請求項１】
厚さ０．０１ｍｍ程度の高密度ポリエチレン等のフィルムから切り取った、幅１５ｍｍ、長さ６ｃｍ程度の短冊状のフィルムを、これの長軸方向の一端を頭に接着したことを特徴とするつまよう枝。この短冊状の薄いフィルムは、中央部分を長軸方向に引き伸ばして更に薄くし、狭い歯間にすべり込ませ、その後歯肉ポケットまで擦り入れ、これを引き抜くときに歯間および歯肉ポケットにたまっていた食物のかす等をこのフィルムに巻き込んで取り去ることを目的としたものである。
【請求項２】
請求項１に記載の歯間や歯肉ポケットにたまったかす等を取る目的の薄い短冊状のフィルムを、幅１５ｍｍ、長さ６ｍ程度の高密度ポリエチレン等の長いフィルムに約６ｃｍおきにミシン目を入れ、これを円筒状の芯にセロハンテープのように巻きつけておき、使う分だけを簡単にミシン目で切り離せるようにしたもの。
【発明の詳細な説明】
【技術分野】
【０００１】  本発明は、歯間に残された食物の残留物をつまよう枝と共に働き、効率良く取り除くのに役立てるものである。
【背景技術】
【０００２】  従来の歯間残留物の除去具としては、歯ブラシやつまよう枝の他に、細い糸を何本も並べて両端をアーチ形の止め具で固定した糸ようじや、細い２本の金属の間に合成繊維を並べてその２本の金属をねじってそれを固定した歯間ブラシといったものがある。
【発明の開示】
【発明が解決しようとする課題】
【０００３】  従来の糸ようじや歯間ブラシ等は歯間がある程度開いている場合には使い易いものであるが、歯がぴったりとくっついていたりする場合にはそこに差し込んだりして使うには無理があり、歯ぐきを傷つけてしまったり、かえって食物等のかすをためる空間を作ってしまう場合がある。
【課題を解決させるための手段】
【０００４】  狭い歯間や歯肉ポケットにたまった食物の残留物等を無理なく取り除くための器具にはそのものに狭い歯間に入り込む薄さ、歯ぐきを傷つけないやわらかさ、かつ歯間残留物を取り除く丈夫さが要求される。これを同時に満たす物として、薄い高密度ポリエチレンの短冊状のフィルムを引き伸ばして更に薄くしたものが有効であると考えられる。そこで、厚さ０．０１ｍｍ程度のこのフィルムから幅１５ｍｍ、長さ６ｃｍ程度の短冊状のフィルムを切り取り、この両端を左右の指ではさんで反対方向に引っ張り中央部分を伸ばして更に薄くする。次に、ピンと張った状態でこの薄くなった中央部分を狭い歯間にすべり込ませ、前後させながら歯の付け根まで擦り入れ、この一端を引いて歯間からゆっくりと引き抜くと、もう一端がしわになって歯間を抜けてくる。このしわに擦り取られたかすや歯肉ポケットにたまっていたかす等を巻き込んできれいに取り除くことができるのである。
【発明の効果】
【０００５】  こうすることにより、どんなに狭い歯間に残された食物の残留物でも無理なく取り除くことができる。この短冊状のフィルムの一端をつまよう枝の頭に接着しておくと指を差し入れにくい奥歯の歯間にも容易に差し込むことができ、つまよう枝と共に歯間の残留物を効果的に除去できる。使う前にはつまよう枝の頭に巻きつけてラッピングをしておくと携帯にも、清潔面でも良いものとなる。また、幅１５ｍｍ程度の長いフィルムに約６ｃｍごとにミシン目を入れ、円筒状の芯にセロハンテープのように巻きつけておけば携帯にも便利である。また、とても安価に作成できること、使い終わったものは燃えるごみとして捨てられることも便利である。
【発明を実施するための最良の形態】
【０００６】  本発明は、厚さ０．０１ｍｍ程度の薄い高密度ポリエチレン等のフィルムから幅１５ｍｍ、長さ６ｃｍ程度の短冊状のフィルムを切り取ることで実施できる。ただし、このフィルムには引っ張る方向によりあまり伸びずに切れてしまう性質があるので、伸びる方向をこの短冊状のフィルムの長軸の向きとする必要がある。最良の実施例としてはこのフィルムの一端をつまよう枝の頭に接着し残りをそこに巻きつけてラッピングしておけば携帯性、衛生面にすぐれたものとなる。また、幅１５ｍｍ、長さ６ｍ程度の長いフィルムに６ｃｍごとに切り離すためのミシン目を入れ、円筒状の芯にセロハンテープのように巻きつけておけば使う分だけをその都度切り離すことができ、じゃまにならずに多くを携帯することができる。
【図面の簡単な説明】
【０００７】
【図１】  本発明実施例の短冊状のフィルムを頭に接着したつまよう枝の正面図である。
【図２】  本発明実施例の短冊状のフィルムを引き伸ばしたときの様子を表す図である。
【図３】  本発明実施例の円筒状の芯に巻きつけたミシン目入りフィルムの斜視図である。
【符号の説明】
【０００８】  １  つまよう枝の先端
２  高密度ポリエチレン等でつくられた短冊状のフィルム
３  引き伸ばすときにゆびでつまんでいた部分
４  伸びて薄くなり、歯間にすべり込ませる部分
５  円筒状の芯
６  フィルムにつけられたミシン目
【図１】
2006326251.tif 000003
【図２】
2006326251.tif 000004
【図３】
2006326251.tif 000005
(57)【要約】      （修正有）【課題】通常のお皿でも回転テーブルから落ちにくく、お皿の中の汁などがテーブルの中にこぼれても、回転テーブルの外にこぼれないようにし、さらに専用のお皿によりお皿が落ちる心配と、汁のこぼれの解消を提供する。【解決手段】お皿１を扇型にしたことにより、これらを円状に配置したとき、お皿の裏面の突起が卓上回転テーブル２の周囲の突起にはまり合う。さらに、お皿の１つに卓上回転テーブル２の醤油注し置き場の内径と深さも同じ円形突起を付けたことにより、円状になったお皿だけが、卓上回転テーブル２と一体化せず滑って回ることを防ぐ。【選択図】図６
2006326259.tif 000002
【特許請求の範囲】
【請求項１】
卓上回転テーブルの周囲に突起をつけ、お皿を扇型にし裏面に突起をもたせたことにより、一体化することを特徴とする卓上回転テーブル。
【請求項２】
前記の皿は扇型の形状と裏面に突起をもたせたことを特徴とし、前記の卓上回転テーブルは周囲を突起させていることを特徴としたことにより、円状に置かれたお皿は、扇型の形状により周囲からの力では中に入ることはなく、手巻き寿司などの時は、専用の桶を中心に置くことで、押される事により中に入る事はまったくなくなり、お皿の裏面の突起と回転テーブルの周囲の突起によりはまり合い、外に引っ張られても落ちることなく、回転させることができることを特徴とする請求項１記載の卓上回転テーブル。
【発明の詳細な説明】
【技術分野】
【０００１】  この発明は、テーブルおよび座卓の上で飲食する時に使用する、卓上回転テーブルと回転テーブル上で使用する、お皿の形状に関する。
【発明の開示】
【発明が解決しようとする課題】
【０００２】  従来の回転テーブルは、周囲を突起させていないため、お皿が回転テーブルから落ちたり、お皿の中の汁などがこぼれた時に回転テーブルの外にこぼれる物であった。
以上の技術によれば、回転テーブルを回すたびにお皿のずれや、醤油注しの位置など、常に気を使っていなければならなかった。
そこで、この発明は、通常のお皿でも回転テーブルから落ちにくく、お皿の中の汁などがテーブルの中にこぼれても、回転テーブルの外にこぼれないようにし、さらに専用のお皿によりお皿が落ちる心配と、汁のこぼれの解消を提供する事を課題とする。
【課題を解決するための手段】
【０００３】  以上の課題を解決するために、第一発明は、卓上回転テーブルの周囲に突起を付け、突起により隔たせた醤油注し置き場を設けたことを特徴とする、卓上回転テーブルである。
また、第二発明は、お皿の形状を扇型にし裏面には突起を付け、卓上回転テーブル周囲の突起の内側に、お皿裏面の突起がはまり扇型の形状２で円状になることを特徴とし、またお皿の１つは卓上回転テーブルの醤油注し置き場の内径と深さも同じ突起を付けたことで、卓上回転テーブルとはまり合うことを特徴とするお皿である。
【発明の効果】
【０００４】  第一発明、または第二発明によれば、卓上回転テーブルとお皿に突起を付け、お皿の形状を扇型にしたので、卓上回転テーブルとお皿が一体化し、使いやすい。
【発明を実施するための最良の形態】
【０００５】この発明の一実施形態を
【図１】
【図２】
に示す。
卓上回転テーブルの本体２は、人口大理石または陶器製であり、この本体２の周囲は突起しており、醤油注しを置く場所の周囲も突起している。この本体２の裏面には回転用の大口径ベアリングが一体的に取り付けられている。
【図１】
の、お皿の本体１は人口大理石または陶器製であり、この本体１の裏面には、卓上回転テーブルの突起の高さと幅に合う位置で突起が付けられている。またお皿の１つは、卓上回転テーブルの醤油注し置き場の内径と深さも同じ突起が付けられ、卓上回転テーブルの醤油注し置き場に、はまる形状になっている。
「実施形態の効果」
【０００６】  この実施形態によれば、お皿の本体１を円状にし卓上回転テーブル本体２にのせた時、お皿が扇型のため、テーブルの中にずれる事がない。また卓上回転テーブル本体２の突起の内側に当たり、お皿の裏の突起が卓上回転テーブル本体２に、はまり込み卓上回転テーブルの外に、ずれる事がない。
卓上回転テーブル本体２は、突起を付けた事により通常使われている、皿や椀もテーブルから落ちる心配もなく、汁のこぼれもテーブル内に留まり、お皿の本体１も、卓上回転テーブル以外でも通常使用するお皿として、日常的に使用できる。
また、桶の本体４をセットする事により卓上回転テーブル本体２と、お皿の本体１がより強固になり、桶に酢飯、お皿に魚介類などをのせ回転手巻き寿司の時などは、なんの不安もなく、回す事が楽しくなる。
【０００７】「他の実施形態」
【図１】
のお皿の実施形態では、８枚のお皿であったが、他の実施形態では２枚でも、３枚でもよい。また
【図２】
の卓上回転テーブルの醤油注し置き場の形状は、お皿の突起とはまり合えばハート型でも四角でもよい。
【図面の簡単な説明】
【０００８】
2006326259.tif 000003
【図７】お皿が円状に並べられた物を上から見た図である。
【図８】お皿が円状に並べられた物を下から見た図である。
【図９】卓上回転テーブルを上から見た図である。
【図１０】卓上回転テーブルを下から見た図である。
【図１１】卓上回転テーブルの断面図である。
【図１２】卓上回転テーブルに、お皿が乗っている断面図である。
2006326259.tif 000004
【符号の説明】
【０００９】１  お皿    ２  卓上回転テーブル    ３  回転用大口径ベアリング    ４  桶
【図１】
2006326259.tif 000005
【図２】
2006326259.tif 000006
【図３】
2006326259.tif 000007
【図４】
2006326259.tif 000008
【図５】
2006326259.tif 000009
【図６】
2006326259.tif 000010
【図７】
2006326259.tif 000011
【図８】
2006326259.tif 000012
【図９】
2006326259.tif 000013
【図１０】
2006326259.tif 000014
【図１１】
2006326259.tif 000015
【図１２】
2006326259.tif 000016
【図１３】
2006326259.tif 000017
【図１４】
2006326259.tif 000018
(57)【要約】【課題】  本発明は、ダウンスイングの軌道を正確に習得、練習できるためのゴルフ練習ナットに関して研究を重ねた。【解決手段】  上記目的を達するために、マットの人工芝のターフ部をめくれるようにした構造のターフが取れるゴルフ練習マットを考案した。【選択図】図８
2006326253.tif 000002
【特許請求の範囲】
【請求項１】
人口芝のターフ部にあたる一部がめくれるようにしたターフがとれるゴルフスイング練習用マット。
【請求項２】
請求項１に人口芝のターフ部がめくれる手前に印を設けたターフが取れるゴルフスイング練習用マット。
【請求項３】
請求項１か２の何れかのゴルフクラブのエッジが人口芝に接触するあたりからターフ部の下部にあたる部分の台表面をへこませるように削ったターフが取れるゴルフスイング練習用マット。
【請求項４】
請求項１か３の何れかのターフ部の未接続部と台の未接続部にマジックテープを設け、ターフ部がめくれにくくさしたターフが取れるゴルフスイング練習用マット。
【発明の詳細な説明】
【技術分野】
【０００１】この発明は、ゴルフスイングを練習するときのマットに関するもので、ダウンスイングをしたときにターフに相当する部分の一部の人口芝がめくれる構造にして、ダウンスイングを習得するためゴルフ練習用マットである。
【背景技術】
【０００２】従来、ゴルフ練習用マットでダウンスイングを行った場合、ゴルフクラブのヘッドのソール部がマットの人工芝に当った場合、当った感触だけが体感できたが、スイング軌道が不正確でソール部が人工芝に当っても、滑ってしまい正確なダウンスイングの軌道を習得、練習することはできなかった。
【発明の開示】
【発明が解決しようとする課題】
【０００３】本発明は、ダウンスイングの軌道を正確に習得、練習できるためのゴルフ練習ナットに関して研究を重ねた。
【問題を解決するための手段】
【０００４】上記目的を達するために、マットの人工芝のターフ部をめくれるようにした構造のターフが取れるゴルフ練習マットを考案した。
【発明の効果】
【０００５】本発明は以上説明したような手段と構成されているので、以下に記載されるような効果を奏する。
【０００６】本発明は、印に合わせてアドレスをし、印をボールイメージにして、ダウンスイングを行う、正確なダウンスイングの軌道でスイングができている場合、ゴルフクラブのエッジがターフ部の先端にひっかかり、ターフ部がめくれる構造であるためダウンスイングの正確な軌道を確認、練習することが可能になる。
【発明を実施するための最良の形態】
【０００７】発明の実施の形態を実施例にもとづき図面を参照して説明する。
本案の実施例について説明する。【０００８】マット表面の人口芝のターフ部がめくれるようにターフ形状に切る。【０００９】ターフ部は台からめくれるようにするため、ターフ部未接着部とターフ部は接着しない。接着部のみ人口芝と台を接着する。【００１０】通常は、ターフ部の手前にボールを置くため、ボールを置く位置に印を設ける。【００１１】ターフ部がめくれるためにゴルフクラブのエッジ部が人工芝に接触する位置からターフ部の下部にかけて台に凹み部を設ける。【００１２】また、ターフ部と台の間にマジックテープを設ける。
【発明の効果】
【００１３】本発明に係るターフが取れるゴルフ練習用マットは、工業的に量産する事が可能であるため、産業上の利用可能性を有する。
【図面の簡単な説明】
【００１４】
【図１】本発明の台の表面からの立体図である。
【図２】本発明の人口芝の裏面からの斜面立体図である。
【図３】本発明の台の表面からの立体図である。
【図４】本発明の人口芝の裏面からの立体図である。
【図５】本発明の表面からの立体図である。
【図６】本発明の側面図である。
【図７】本発明の側面図、一部拡大側面図である。
【図８】本発明の表面からの立体図である。
【図９】本発明の側面図である。
【図１０】本発明の側面図、一部拡大側面図である。
【符号の説明】
【００１５】１ターフ未接着部
２接着部
３人口芝
４ターフ部未接着部
５台
６マジックテープ
７ターフ部
８凹み部
９印
【図１】
2006326253.tif 000003
【図２】
2006326253.tif 000004
【図３】
2006326253.tif 000005
【図４】
2006326253.tif 000006
【図５】
2006326253.tif 000007
【図６】
2006326253.tif 000008
【図７】
2006326253.tif 000009
【図８】
2006326253.tif 000010
【図９】
2006326253.tif 000011
【図１０】
2006326253.tif 000012
(57)【要約】      （修正有）【課題】ゴルフ練習場において平面の状態での練習だけでなく、よりゴルフ場でコ−スをまわっている状態に近い体勢でボ−ルを打てる様に、可動式の機械の上で練習することを提供する。【解決手段】ゴルフ練習場において四方向に動く機械を設置する。立ち位置を、例えば１が上がる３が下がる状態で左足上がりの状態を、２が下がる４が上がる状態でつま先下がりの状態を作り出し、よりゴルフ場本番の状態に近い場面での練習を可能にした。【選択図】図１
2006326241.tif 000002
【特許請求の範囲】
【請求項１】
ゴルフの練習場において、従来は平面の上に立ちボ−ルを打っていたが立っている地面を可動式にすることにより、例えば右足上がり、つま先上がりなど、よりゴルフ場本番に近い状態を作り出すことができる機械の発明です。
【発明の詳細な説明】
【技術分野】
【０００１】本発明はゴルフ練習場において、よりゴルフ場に近い状態でボ−ルをうてる様に、地面に起伏をもたせる様にしたものである。［背景技術］【０００２】従来はゴルフ練習場において平面の状態でしかボ−ルを打てなかった。［発明の開示］［発明が解決しようとする課題］【０００３】ゴルフ練習場においては、立っている状態がいつも同じ平面であり、ゴルフ場本番のようにつま先上がりなど打ちにくい状況は再現できない。本発明はこの課題を解決するためになされたものである。［課題を解決するための手段］【０００４】ゴルフ練習場の立ち位置に機械を置いて、例えば１が上がる３が下がる状態で左足上がりの状態を、２がさがる４が上がる状態でつま先下がりの状態を作り出し、よりゴルフ場本番の状態に近い場面での練習を可能にした。［発明の効果］【０００５】ゴルフ練習場において四方向に動く機械を設置することにより、様々な状況での練習が可能になる。
【図面の簡単な説明】
【０００６】
【図１】本発明の真上からの図である。
【図２】本発明の断面図である。
【図３】本発明のつま先上がりの状態での断面図である。
【符号の説明】
【０００７】１  前方部分支柱２  右部分支柱３  後方部分支柱４  左部分支柱
【図１】
2006326241.tif 000003
【図２】
2006326241.tif 000004
【図３】
2006326241.tif 000005